(57)【特許請求の範囲】
【請求項１】
ガラスの開閉方向に沿って設けられたガイドと、
前記ガラスに固着され、前記ガイドに移動可能に係合するスライダベースと、
前記ガイドの一方の端部側に設けられた第１のプーリと、
前記ガイドの他方の端部側に設けられた第２のプーリと、
前記第１のプーリと前記第２のプーリとの間に設けられたドラムと、
該ドラムに巻き掛けられ、一方の端部側が前記第１のプーリを介して前記スライダベースに、他方の端部側が前記第２のプーリを介して前記スライダベースにそれぞれ係止されたワイヤとを有し、
前記ドラムを回転させることによって前記ガラスに固着されたスライダベースを前記ガイドに沿って移動させるウインドレギュレータにおいて、
前記ワイヤの一方の端部に設けられた円柱状の第１のエンド部材と、
前記ワイヤの他方の端部に設けられた円柱状の第２のエンド部材と、
前記スライダベースに設けられ、前記第１のエンド部材が嵌合し、前記第１のエンド部材を回転可能に支持する樹脂の第１のガイド部と、
前記スライダベースに設けられ、前記第２のエンド部材が嵌合し、前記第２のエンド部材を回転可能に支持する樹脂の第２のガイド部と、
を有し、
前記第１及び第２のガイド部に、前記第１及び第２のエンド部材によって荷重が作用する面と対向する溝を形成し、前記スライダベースに、前記溝に嵌合する補強部を形成したことを特徴とするウインドレギュレータ。
【発明の詳細な説明】
【０００１】
【発明の属する技術分野】
本発明は、ガラスの開閉方向に沿って設けられたガイドと、前記ガラスに固着され、前記ガイドに移動可能に係合するスライダベースと、前記ガイドの一方の端部側に設けられた第１のプーリと、前記ガイドの他方の端部側に設けられた第２のプーリと、前記第１のプーリと前記第２のプーリとの間に設けられたドラムと、該ドラムに巻き掛けられ、一方の端部側が前記第１のプーリを介して前記スライダベースに、他方の端部側が前記第２のプーリを介して前記スライダベースにそれぞれ係止されたワイヤとを有し、前記ドラムを回転させることによって前記ガラスに固着されたスライダベースを前記ガイドに沿って移動させるウインドレギュレータに関する。
【０００２】
【従来の技術】
図１２を用いて、従来のウインドレギュレータを説明する。
ガラス２の昇降方向(図１２において矢印方向)に沿ってガイド１が設けられている。このガイド１の上部はアッパブラケット３を介して車体側(ドアインナパネル)に、ガイド１の下部はロアブラケット４を介して車体側(ドアインナパネル)にそれぞれ取付けられている。
【０００３】
ガイド１には、ガイド１に摺動可能に係合するスライダベース６が設けられている。更に、ガラス２の下部と、スライダベース６とが固着され、ガラス２はガイド１に沿って矢印方向に昇降可能となっている。
【０００４】
ガイド１の側方には、ドラムベース８が設けられている。このドラムベース８上には、モータ１０によって回転駆動されるドラム９が設けられている。
ドラム９の円筒面には、ワイヤ１２が巻掛けられている。このワイヤ１２の一方の端部側は、アッパブラケット３上に回転可能に設けられた第１のプーリとしてのアッパプーリ１３を介して、スライダベース６上に係止されている。
【０００５】
又、ワイヤ１２の他方の端部側は、ロアブラケット４上に回転可能に設けられた第２のプーリとしてのロアプーリ１４を介してスライダベース６上に係止されている。
【０００６】
次に、上記構成の作動を説明する。モータ１０を駆動することにより、ドラム９が回転する。ドラム９の回転により、ワイヤ１２の一方はドラム９より繰出され、他方のワイヤ１２はドラム９に巻き取られる。ワイヤ１２の移動により、スライダベース６がガイド１に沿って移動し、ガラス２の昇降が行なわれる。
【０００７】
【発明が解決しようとする課題】
上記構成のウインドレギュレータにおいて、ワイヤ１２の端部側とスライダベース６との係止は、図１２に示すように、スライダベース６上に溝６ａ,６ｂを設け、この溝６ａ,６ｂにワイヤ１２の端部に設けられたエンド部材１２ａ,１２ｂを係合させることで行なっている。
【０００８】
一方、ガラス２の昇降ストロークをなるべく長く確保するため、即ちアッパプーリ１３,ロアプーリ１４の側方までスライダベース６が移動可能とするためには、溝６ａ,６ｂの延出方向はワイヤ１２の移動方向と直交する方向が望ましい。
【０００９】
しかし、このような構成とすると、溝６ａ,６ｂの近傍のワイヤ１２に半径の小さな曲部Aが形成される。
よって、スライダベース６を移動させると、ワイヤ１２の曲部Aには大きな曲げ応力が繰返し発生し、ワイヤの耐久性がなくなる問題点がある。
【００１０】
本発明は、上記問題点に鑑みてなされたもので、その目的は、ワイヤの耐久性が向上するウインドレギュレータを提供することにある。
【００１１】
【課題を解決するための手段】
上記課題を解決する請求項１記載の発明は、ガラスの開閉方向に沿って設けられたガイドと、前記ガラスに固着され、前記ガイドに移動可能に係合するスライダベースと、前記ガイドの一方の端部側に設けられた第１のプーリと、前記ガイドの他方の端部側に設けられた第２のプーリと、前記第１のプーリと前記第２のプーリとの間に設けられたドラムと、該ドラムに巻き掛けられ、一方の端部側が前記第１のプーリを介して前記スライダベースに、他方の端部側が前記第２のプーリを介して前記スライダベースにそれぞれ係止されたワイヤとを有し、前記ドラムを回転させることによって前記ガラスに固着されたスライダベースを前記ガイドに沿って移動させるウインドレギュレータにおいて、前記ワイヤの一方の端部に設けられた円柱状の第１のエンド部材と、前記ワイヤの他方の端部に設けられた円柱状の第２のエンド部材と、前記スライダベースに設けられ、前記第１のエンド部材が嵌合し、前記第１のエンド部材を回転可能に支持する樹脂の第１のガイド部と、
前記スライダベースに設けられ、前記第２のエンド部材が嵌合し、前記第２のエンド部材を回転可能に支持する樹脂の第２のガイド部と、を有し、前記第１及び第２のガイド部に、前記第１及び第２のエンド部材によって荷重が作用する面と対向する溝を形成し、前記スライダベースに、前記溝に嵌合する補強部を形成したことを特徴とするウインドレギュレータである。
【００１２】
前記ワイヤの端部を前記スライダベースに対して回転可能に係止したことにより、ワイヤに半径の小さな曲部が発生せず、ワイヤの耐久性が向上する。
【００１５】
第１のガイド部に第１のエンド部材を、第２のガイド部に第２のエンド部材をそれぞれ嵌合させるだけでよいので、組み付けが簡単である。
【００１６】
成形が容易な樹脂の第１及び第２のガイド部を用いた場合でも、前記第１及び第２のガイド部に、前記第１及び第２のエンド部材によって荷重が作用する面と対向する溝を形成し、前記スライダベースに、前記溝に嵌合する補強部を形成したことにより、第１及び第２のガイドの強度を確保できる。
【００１７】
【発明の実施の形態】
（第１の実施の形態例)
図１〜図３を用いて説明する。
【００１８】
図１において、ガラス１０２の昇降方向(図１において矢印方向)に沿ってガイド１０１が設けられている。このガイド１０１の上部はアッパブラケット１０３を介して車体側(ドアインナパネル)に、ガイド１０１の下部はロアブラケット１０４を介して車体側(ドアインナパネル)にそれぞれ取付けられている。
【００１９】
ガイド１０１には、ガイド１０１に摺動可能に係合する二つのスライダ１０５を介してスライダベース１０６が設けられている。更に、ガラス１０２の下部と、スライダベース１０６とがねじ１０７を用いて固着され、ガラス１０２は、ガイド１に沿って矢印方向に昇降可能となっている。
【００２０】
ガイド１０１の側方には、ドラムベース１０８が設けられている。このドラムベース１０８には、図２に示すように、円筒面に螺旋状に溝１０９ａが刻設されたドラム１０９を回転可能に保持する上面が開放された円筒形のドラム保持部１０８ａが形成されている。
【００２１】
１１０は駆動シャフト１１０ａがドラム１０９に嵌合し、ドラムベース１０８に設けられたモータ、１１１はドラムベース１０８のドラム保持部１０８ａの開放面を覆う蓋である。
【００２２】
ドラム１０９の円筒面の溝１０９ａには、ワイヤ１１２の中間部が巻掛けられている。
図１に戻って、このワイヤ１１２の一方の端部側は、アッパブラケット１０３上に回転可能に設けられた第１のプーリとしてのアッパプーリ１１３を介して、スライダベース１０６上に係止されている。又、ワイヤ１１２の他方の端部側は、ロアブラケット１０４上に回転可能に設けられた第２のプーリとしてのロアプーリ１１４を介してスライダベース１０６上に係止されている。
【００２３】
又、アッパブラケット１０３にはアッパワイヤガイド１１５が、ロアブラケット１０４にはロアワイヤガイド１１６がそれぞれ設けられている。
ここで、図３を用いて、ワイヤ１１２のスライダベース１０６への係止構造を説明する。
【００２４】
ワイヤ１１２の一方の端部には貫通穴３０１が開設された第１のエンド部材３０３が、ワイヤ１１２の他方の端部には貫通穴３１１が開設された第２のエンド部材３１３がそれぞれ取り付けられている。
【００２５】
そして、第１及び第２のエンド部材３０３,３１３の貫通穴３０１,３１１を挿通し、スライダベース１０６に取り付けられるピン３２１を用いて、第１及び第２のエンド部材３０３,３１３はスライダベース１０６に同軸上で回転可能に取り付けられている。
【００２６】
次に、上記構成の作動を説明する。モータ１１０を駆動することにより、ドラム１０９が回転する。ドラム１０９の回転により、ワイヤ１１２の一方はドラム１０９より繰出され、他方のワイヤ１１２はドラム１０９に巻き取られる。ワイヤ１１２の移動により、スライダベース１０６がガイド１０１に沿って移動し、ガラス１０２の昇降が行なわれる。
【００２７】
上記構成によれば、ワイヤ１１２の端部をスライダベース１０６に対して回転可能に取り付けたことにより、ワイヤ１１２に半径の小さな曲部が発生せず、ワイヤ１１２の耐久性が向上する。
【００２８】
又、ワイヤ１１２の端部と、スライダベース１０６との係止構造の構成部品をワイヤの一方の端部に設けられ、貫通穴３０１が開設された第１のエンド部材３０３と、ワイヤ１１２の他方の端部に設けられ、貫通穴３１１が開設された第２のエンド部材３１３と、第１及び第２のエンド部材３０３,３１３の貫通穴３０１,３１１を挿通し、スライダベース１０６に取り付けられるピン３２１とで構成したことにより、部品点数が少なくてすむ。
（第２の実施の形態例)
図４〜図８を用いて説明する。尚、これらの図において、第１の実施の形態例と同一部分には、同一符号を付し、重複する説明は省略する。
【００２９】
本実施の形態例と、第１の実施の形態例との相違点は、スライダベース５００である。
図４において、ワイヤ１１２の一方の端部には円柱状の第１のエンド部材５０１が、ワイヤ１１２の他方の端部には、円柱状の第２のエンド部材５１１が設けられている。
【００３０】
スライダベース５００上には、第１のエンド部材５０１が嵌合し、第１のエンド部材５０１を回転可能に支持する第１のガイド部５２１と、第２のエンド部材５１１が嵌合し、第２のエンド部材５１１を回転可能に支持する第２のガイド部５３１とが形成されている。
【００３１】
次に、図５〜図８を用いて、スライダベース５００を詳細に説明する。
図６において、スライダベース５００上には、第１のガイド部５２１,第２のガイド部５３１と、スライダ部５４１,５５１とが一体的に形成された樹脂成形品のスライダ５６０が取り付けられている。
【００３２】
スライダ部５４１,５５１には、溝５４１ａ,５５１ａが形成されている。
一方、ガイド１０１の断面形状は、図５に示すように、基底部１０１ａと、基底部１０１ａの両側から略垂直に折り曲げられた折り曲げ部１０１ｂ,１０１ｃと、一方の折り曲げ部１０１ｃから基底部１０１ａと平行な方向に折り曲げられたつば部１０１ｄと、からなっている。
【００３３】
そして、スライダ部５４１,５５１の溝５４１ａ,５５１ａがガイド１０１のつば部１０１ｄに係合することで、スライダベース５００はガイド１０１に沿って移動可能となっている。
【００３４】
図６に戻って、第１のガイド部５２１及び第２のガイド部５３１の円筒面には、スライダベース５００がアッパプーリ１１３,ロアプーリ１１４の側方まで移動した場合にも、ワイヤ１１２の移動を妨げないような範囲の切り欠き５２２,５３２が施されている。
【００３５】
スライダベース５００には、スライダ５６０取付用の穴５５５と、ガラス１０２取付用の穴５５２とが開設されている。
次に、図７に示すように、スライダ５６０の下面には、径方向に可撓なようにすり割り５７３が施され、円筒面上に段部５７１が形成され、スライダベース５００の穴５５５に係脱可能な突起５７０が形成されている。
【００３６】
このスライダ５６０の突起５７０がスライダベース５００の穴５５５に係合することにより、スライダ５６０はスライダベース５００に一体的に取り付けられる。
【００３７】
又、スライダ５６０の下面には、第１及び第２のガイド部５２１,５３１の内周面と対向する溝５６１,５６２が形成されている。
そして、スライダベース５００には、この溝５６１,５６２に嵌合し、第１及び第２のエンド部材５０１,５１１によって荷重が作用する第１及び第２のガイド部５２１,５３１の内周面を補強する補強部として機能するバーリング部５５３,５５４が形成されている(図６,図８参照)。
【００３８】
更に、スライダ５６０には、スライダベース５００のガラス１０２取付用の穴５５２と対向する穴５６５が形成されている。
次に、上記構成の作動を説明する。モータ１１０を駆動することにより、ドラム１０９が回転する。ドラム１０９の回転により、ワイヤ１１２の一方はドラム１０９より繰出され、他方のワイヤ１１２はドラム１０９に巻き取られる。ワイヤ１１２の移動により、スライダベース５００がガイド１０１に沿って移動し、ガラス１０２の昇降が行なわれる。
【００３９】
上記構成によれば、ワイヤ１１２の端部をスライダベース５００に対して回転可能に取り付けたことにより、ワイヤ１１２に半径の小さな曲部が発生せず、ワイヤ１１２の耐久性が向上する。
【００４０】
又、第１のガイド部５２１に第１のエンド部材５０１を、第２のガイド部５３１に第２のエンド部材５１１をそれぞれ嵌合させるだけでよいので、組み付けが簡単である。
【００４１】
第１のガイド部５２１,第２のガイド部５３１と、ガイド１０１に移動可能に係合するスライダ部５４１,５５１とが一体的に形成された樹脂成形品のスライダ５６０を用いた場合でも、即ち、樹脂の第１及び第２のガイド部を用いた場合でも、第１及び第２のエンド部材５０１,５１１によって荷重が作用する第１及び第２のガイド部５２１,５３１の内周面と対向するバーリング部(補強部)５５３,５５４をスライダベース５００に形成したことにより、第１及び第２のガイド部５２１,５３１の強度を確保できる。
【００４２】
尚、本発明は、上記実施の形態例に限定するものではない。例えば、図９に示すようなスライダ５６０′であってもよい。
即ち、スライダ５６０′の第１及び第２のガイド部５２１′,５３１′の第１及び第２のエンド部材５０１,５１１の挿入方向をスライダベース５００側からとし、第１及び第２のガイド部５２１′,５３１′にワイヤ１１２が移動可能な横溝５２１ａ′,５３１ａ′(横溝５３１ａ′は図示せず)を設け、スライダベース５００と協働してワイヤ１１２の第１及び第２のエンド部５０１,５１１のスライダ５６０′からの抜け止め、及び、ワイヤ１１２の第１及び第２のエンド部５０１,５１１のガイド１０１との接触を防止するようにしてもよい。
【００４３】
尚、本実施の形態例の場合、第１及び第２のガイド部５２１′,５３１′の横溝５２１ａ′,５３１ａ′には、突起５２１ｂ′,５３１ｂ′(突起５３１ｂ′は図示せず)を設け、ワイヤ１１２の抜け止めを行なっている。
【００４４】
又、ワイヤ１１２の第１及び第２のエンド部材５０１,５１１の形状は、円柱状に限定するものではない。例えば、円錐状や円錐台状であってもよい。
（第３の実施の形態例)
図１０及び図１１を用いて説明する。尚、これらの図において、第２の実施の形態例と同一部分には、同一符号を付し、重複する説明は省略する。
【００４５】
本実施の形態例と、第２の実施の形態例との相違点は、スライダベース６００周りである。
図１０において、スライダーベース６００には、断面C字形のガイド６１０に係合するスライダ６１１を固着するピン６１０が挿通する穴６１２と、ワイヤ１１２の端部を回転可能に係止する樹脂製のワイヤ保持部材６２０の底面に形成された突起６２１が係合する穴６２２と、ワイヤ保持部材６２０を挿通し、スライダベース６００の下面に取り付けられるガラス１０２の下端部に係合するガラス保持部材６５０を係止するピン６６０が挿通する穴６３２が形成されている。
【００４６】
ワイヤ保持部材６２０の下面は、図１１に示すように、第１のエンド部材５０１が嵌合し、第１のエンド部材５０１を回転可能に支持する第１のガイド部７２１と、第２のエンド部材５１１が嵌合し、第２のエンド部材５１１を回転可能に支持する第２のガイド部７３１とが形成されている。
【００４７】
第１及び第２のガイド部７２１,７３１には、ワイヤ１１２が移動する横溝７２１ａ、７３１ａ(横溝７３１ｂは図示せず)が形成されている。
更に、第１及び第２のガイド部７２１,７３１の周りには、溝７４１を介して外周壁７５１が形成され、この外周壁７５１にもワイヤ１１２が移動する横溝７５１ａ、７５１ｂ(横溝７５１ａは図示せず)が形成されている。
【００４８】
そして、スライダベース６００の周縁には、この溝７４１に嵌合し、第１及び第２のエンド部材５０１,５１１によって荷重が作用する第１及び第２のガイド部７２１,７３１の内周面を補強する補強部として機能する立壁部６００ａが形成されている(図１０参照)。
【００４９】
上記構成によれば、ワイヤ１１２の端部をスライダベース６００に対して回転可能に取り付けたことにより、ワイヤ１１２に半径の小さな曲部が発生せず、ワイヤ１１２の耐久性が向上する。
【００５０】
又、第１のガイド部７２１に第１のエンド部材５０１を、第２のガイド部７３１に第２のエンド部材５１１をそれぞれ嵌合させるだけでよいので、組み付けが簡単である。
【００５１】
ワイヤ保持部材６２０が樹脂成形品である場合でも、即ち、樹脂の第１及び第２のガイド部を用いた場合でも、第１及び第２のエンド部材５０１,５１１によって荷重が作用する第１及び第２のガイド部７２１,７３１の内周面と対向する立壁部(補強部)６００ａをスライダベース６００に形成したことにより、第１及び第２のガイド部７２１,７３１の強度を確保できる。
【００５２】
更に、スライダベース６００の周縁に形成した立壁部６００ａを補強部としたことにより、第２の実施の形態例に比べてスライダベース６００を小型化できる。
【００５３】
【発明の効果】
以上述べたように、請求項１記載の発明によれば、前記ワイヤの端部を前記スライダベースに対して回転可能に係止したことにより、ワイヤに半径の小さな曲部が発生せず、ワイヤの耐久性が向上する。
【００５５】
第１のガイド部に第１のエンド部材を、第２のガイド部に第２のエンド部材をそれぞれ嵌合させるだけでよいので、組み付けが簡単である。
【００５６】
成形が容易な樹脂の第１及び第２のガイド部を用いた場合でも、前記第１及び第２のエンド部材によって荷重が作用する前記第１及び第２のガイド部の面と対向する補強部を前記スライダベースに形成したことにより、第１及び第２のガイドの強度を確保できる。
【図面の簡単な説明】
【図１】第１の実施の形態例のウインドレギュレータの構成図である。
【図２】図１の切断線B-Bでの断面図である。
【図３】図１のワイヤのスライダベースへの係止構造を説明する斜視図である。
【図４】第２の実施の形態例のウインドレギュレータの構成図である。
【図５】図４の切断線C-Cでの断面図である。
【図６】図４のワイヤのスライダベースへの係止構造を説明する斜視図である。
【図７】図５のD方向から見たスライダの斜視図である。
【図８】図４の切断線E-Eでの断面図である。
【図９】第２の実施の形態例の他の例を説明する図である。
【図１０】第３の実施の形態例の要部斜視図である。
【図１１】図１０のワイヤ保持部材の下面から見た斜視図である。
【図１２】従来のウインドレギュレータの一例の構成図である。
【符号の説明】
１０１  ガイド
１０２  ガラス
１０６  スライダベース
１０９  ドラム
１１２  ワイヤ
１１３  アッパプーリ(第１のプーリ)
１１４  ロアプーリ(第２のプーリ)
【図１】
0003754251.tif 000002
【図２】
0003754251.tif 000003
【図３】
0003754251.tif 000004
【図４】
0003754251.tif 000005
【図５】
0003754251.tif 000006
【図６】
0003754251.tif 000007
【図７】
0003754251.tif 000008
【図８】
0003754251.tif 000009
【図９】
0003754251.tif 000010
【図１０】
0003754251.tif 000011
【図１１】
0003754251.tif 000012
【図１２】
0003754251.tif 000013